(57)【要約】【課題】入力信号の信号レベルの大小により、入力信号が可聴レベルに達するまでの時間が一定にならない。【解決手段】入力信号レベルと可聴レベルとのレベル差を示すレベル差情報を記憶する不揮発性メモリと、オーディオ信号の音量レベルを調整すると共に現在の音量レベルに関するボリューム情報を出力する電子ボリュームと、不揮発性メモリからのレベル差情報と電子ボリュームからのボリューム情報とに基づいて音量レベルアップ量を算出し、音量レベルアップ量に基づいて電子ボリュームにおける音量レベルアップのステップ数及び変化量を決定する変化量決定部と、変化量決定部の音量レベルアップのステップ数及び変化量に基づいて電子ボリュームを増加する制御を行う制御部とを備えた。【選択図】      図１
2008092241.tif 000002
【特許請求の範囲】
【請求項１】
オーディオ信号が入力される入力部と、前記入力部に入力したオーディオ信号を信号レベルに対応するデジタルデータに変換する入力信号変換部と、前記オーディオ信号が出力される音量レベルを指定する指示信号を受信する受信部と、前記オーディオ信号の入力信号レベルと当該入力信号レベルに対応する可聴レベルとのレベル差を示すレベル差情報を記憶する不揮発性メモリと、前記オーディオ信号の音量レベルを調整すると共に現在の音量レベルに関するボリューム情報を出力する電子ボリュームと、前記受信部の指示信号に基づいて前記レベル差情報と前記ボリューム情報とから音量レベルアップ量を算出し、当該音量レベルアップ量に基づいて前記電子ボリュームにおける音量レベルアップのステップ数及び変化量を決定する変化量決定部と、前記変化量決定部の前記ステップ数及び前記変化量に基づいて前記電子ボリュームを増加する制御を行う制御部とを備えたことを特徴とするオーディオ信号出力装置。
【発明の詳細な説明】
【技術分野】
【０００１】
本発明は、オーディオ信号を出力するオーディオ信号出力装置に関する。
【背景技術】
【０００２】
アンプなどのオーディオ信号出力装置は、ユーザの使い勝手を良くするため、ボリュームを手動で操作しオーディオ信号の音量を調整するのではなく、リモコン等により音量調整ができるように電子ボリュームを搭載した装置が普及している。
【０００３】
このような、電子ボリュームを搭載した装置では、リモコンのボリュームを調整する操作ボタンを押し続けている間、自動的に一定の割合で音量レベルを変化させる。しかし、オーディオ信号出力装置への入力信号の信号レベルが小さい場合、可聴レベルまで音量を上げるまでに時間を要するという問題があった。
【０００４】
そこで、リモコンのボリュームを調整する操作ボタンの操作継続時間と、現在の音量レベルの上限値から音量レベルの変化量を決定する音量制御装置が特許文献１に開示されている。
【０００５】
【特許文献１】特開２００４−５６４７９
【発明の開示】
【発明が解決しようとする課題】
【０００６】
しかし、特許文献１に開示されている音量制御装置では、ボリュームを調整する操作ボタンの操作継続時間と予め定めた音量レベル範囲に基づいて音量レベルの変化量を決定しているため、入力信号の信号レベルが異なった場合、操作継続時間に対して入力信号の信号レベルが可聴レベルとなる音量に達するまでの時間が異なる場合がある。このため、ユーザが希望する音量レベルまで音量を上げるために操作ボタンを押し続ける時間が異なり、ユーザにとって使いづらい。
【０００７】
また、入力信号の信号レベルが小さい場合、ユーザは、希望する音量になるまで操作ボタンを押し続けなければならず、不便である。
【０００８】
本発明は、入力信号の信号レベルの大小に関係なく、入力信号の信号レベルが可聴レベルに達するまでの時間を一定にすることができるオーディオ信号出力装置を提供することを目的とする。
【課題を解決するための手段】
【０００９】
本発明は、オーディオ信号が入力される入力部と、前記入力部に入力したオーディオ信号を信号レベルに対応するデジタルデータに変換する入力信号変換部と、前記オーディオ信号が出力される音量レベルを指定する指示信号を受信する受信部と、前記オーディオ信号の入力信号レベルと当該入力信号レベルに対応する可聴レベルとのレベル差を示すレベル差情報を記憶する不揮発性メモリと、前記オーディオ信号の音量レベルを調整すると共に現在の音量レベルに関するボリューム情報を出力する電子ボリュームと、前記受信部の指示信号に基づいて前記レベル差情報と前記ボリューム情報とから音量レベルアップ量を算出し、当該音量レベルアップ量に基づいて前記電子ボリュームにおける音量レベルアップのステップ数及び変化量を決定する変化量決定部と、前記変化量決定部の前記ステップ数及び前記変化量に基づいて前記電子ボリュームを増加する制御を行う制御部とを備えたことを特徴とする。
【発明の効果】
【００１０】
本発明によれば、入力信号の信号レベルの大小に関係なく、入力信号の信号レベルが可聴レベルに達するまでの時間を一定にすることができる。
【発明を実施するための最良の形態】
【００１１】
図１は、本発明のオーディオ信号出力装置の一実施形態の概略構成を示す図である。
図1において、オーディオ信号出力装置は、リモコン１、受信部２、入力部３、入力信号変換部４、電子ボリューム５、増幅部６、不揮発性メモリ７、制御部８を備える。本実施形態においては、信号レベルの最大を２０dBとし、信号レベルの最小(無音レベル)を−８０dBとして説明する。
【００１２】
リモコン１は、ユーザが音量レベルの増減を操作する音量アップボタン及び音量ダウンボタンなどの操作ボタン等を備え、ユーザにより操作された操作ボタンに対応する指示信号を発光部(図示せず)から赤外線光として出力する。受信部２は、リモコンから発信された赤外線光を受光し、受光した赤外線光に基づいて指示信号を後段の制御部８に出力する。受信部２は、ユーザが音量アップボタンを操作した場合、音量レベルアップ分に相当するレベルアップ情報を後述する制御部８に出力する。
【００１３】
入力部３は、入力端子(図示せず)に接続されている各種機器から入力する入力信号を、後述する制御部８の制御に基づいて選択し、選択された入力信号を後段の入力信号変換部４及び電子ボリューム５に出力する。
【００１４】
入力信号変換部４は、入力部３から入力する入力信号を予め定めたサンプリング時間(例えば、１０ms)毎にサンプリングし、サンプリングしたサンプリングデータのアナログ信号レベルをデジタルデータに変換し、当該デジタルデータを入力信号レベル情報として、サンプリング時間毎に後述する制御部８に出力する。例えば、入力信号のアナログ信号レベルが１Vの場合、８ビットのデジタルデータ「0xFF」に変換する。また、入力信号のアナログ信号レベルが５００mVの場合、１Vの１／２となり、「0x7F」のデジタルデータに変換される。
【００１５】
電子ボリューム５は、後述する制御部８の制御に基づいて、入力部３から入力する入力信号の信号レベルを増減すると共に、当該オーディオ信号出力装置のフロントパネルに装着されたボリュームを回動させる。また、電子ボリューム５は、現在設定されている音量レベルに関するボリューム情報を後述する制御部８に提供する。なお、電子ボリューム５は、ボリュームが回動する時間と信号レベルを増減する時間として、予め定められたステップ単位時間が設定されている。当該ステップ単位設定時間は、一般的には、２００msである。
【００１６】
増幅部６は、電子ボリューム５から入力した入力信号を電子ボリューム５の変化量に応じた増幅率で増幅して出力する。
【００１７】
不揮発性メモリ７は、入力信号レベルに対応する可聴レベルを示す可聴レベル情報と、入力信号レベルと可聴レベルとの差を示すレベル差情報をテーブルとして記憶する。当該可聴レベル情報及びレベル差情報は、予め定められた値が記憶されている。また、不揮発性メモリ７は、ユーザがリモコンにより音量アップボタンを押した際に可聴レベルに達するまでに要する操作時間を示す時間情報を記憶する。当該時間情報は、ユーザが設定することが可能であり、予め定めたられた時間(例えば、１秒)が記憶される。
【００１８】
図２は、本実施形態のオーディオ信号出力装置の不揮発性メモリに記憶されているテーブルの一例を示す図である。
入力信号レベルが−８０dBの場合、可聴レベルは０dBとなる。このときのレベル差は、８０dBである。また、同様に、入力信号レベルが−６０dBの場合、可聴レベルは−２０dBとなる。このときのレベル差は、４０dBである。
【００１９】
制御部８は、装置全体を総合的に制御する。制御部８は、変化量決定部９を備える。変化量決定部９は、受信部２からのレベルアップ情報、入力信号変換部４からの入力信号レベル情報、不揮発性メモリ７からの可聴レベル情報及びレベル差情報、電子ボリューム５からのボリューム情報を読み出し、予め定められた操作時間で入力信号レベルが可聴レベルとなるまでに音量レベルを増加させる変化量を算出し決定する。制御部８は、変化量決定部８により決定した変化量に基づいて、電子ボリューム５を制御する。
【００２０】
具体的には、変化量決定部９は、まず、入力信号変換部４からの入力信号レベル情報に基づいて不揮発性メモリ７に記憶されている可聴レベル情報を参照しレベル差情報(A)を読み出す。次に、電子ボリューム５のボリューム情報から現在の電子ボリューム５の音量レベルを取得し、当該レベル差情報(A)とボリューム情報(B)とから、入力信号レベルを現在の電子ボリューム５の音量レベルから可聴レベルとするまでに必要な音量レベルアップ量(C)を算出する。
【００２１】
そして、当該音量レベルアップ量(C)と不揮発性メモリに記憶されている予め定められた操作時間(D)と予め設定されている電子ボリューム５の１ステップ当たりのステップ単位時間(E)に基づいて、操作時間(D)で入力信号レベルを可聴レベルにするまでに、電子ボリューム５において音量レベルを何段階変化させるかを示すステップ数(X)と、１ステップ当たりどのようなレベルで変化させるかを示す変化量(Y)を算出により求める。求めたステップ数(X)及び変化量(Y)をレベルアップ情報として後述する制御部８に出力する。
【００２２】
変化量決定部９における動作を具体的に説明する。
例えば、入力信号レベルが−６０dBの場合の可聴レベルを−２０dBとすると、そのレベル差(A)は４０dBとなる。すなわち、入力信号レベル−６０dBの入力信号を可聴レベル(−２０dB)にするためには４０dBの信号レベルの増加が必要となる。信号レベルを４０dB増加させるため、予め定められた操作時間(D)と電子ボリューム５におけるステップ単位時間(E)とから電子ボリューム５において信号レベルをYdB毎にXステップ変化させるかを求める。通常、リモコン１の操作ボタンを押し続けた場合は、信号レベルの増加量に関わらず一定間隔で信号レベルの増加が行われる。具体的には、１ステップ当たり２００msで＋２dBずつ信号レベルが増加するようになっている。この場合、４０dB分の信号レベルを増加するには、４０００ms(４秒)かかることになる。
【００２３】
変化量決定部９で予め設定された操作時間を１０００ms(１秒)とした場合、２００ms×(４０dB／ＸdB)＝１０００msとなり、Ｘを求めると８dBとなる。これにより、１秒で４０dBの音量を上げるには、８dB毎に５ステップ(＝１０００ms÷２００ms)で４０dBとなる。すなわち、５ステップで２００ms当たりの変化量を８dBとすればよいことになる。
【００２４】
なお、例えば、変化量決定部９で予め設定された操作時間を５００ms(０．５秒)とした場合は、２００ms×(４０dB／ＸdB)＝５００msとなり、Ｘを求めると１６dBとなる。０．５秒で４０dBの信号レベルを上げるには、１６dB毎に２．５ステップ(＝５００ms÷２００ms)で４０dBとなる。しかし、２００ms毎に１ステップで１６dB増加する場合、１６dB×３ステップ＝４８dBとなり、４０dBを超過する。このような場合は、音量レベルアップの必要分から１ステップ分の音量レベルを減算した値(４０dB−(１６dB×２ステップ)＝８dB)を３ステップ目の変化分とする。
【００２５】
図３は、本実施形態のオーディオ信号出力装置の動作を説明するフローチャートである。
制御部８は、リモコン１からの入力があるか否かを判断する(ステップS1)。リモコン１の入力がある場合(ステップS1でYES)、制御部８は、リモコン１のボリュームボタン(音量アップボタン又は音量ダウンボタン)の操作があるか否かを判断する(ステップS2)。
【００２６】
ボリュームボタンの操作がある場合(ステップS2でYES)、制御部８は、ボリュームボタンが押し続けられているか否かを判断する(ステップS3)。ボリュームボタンが押され、予め定めた時間(例えば、５００ms)以内に開放された場合(ステップS3でNO)、制御部８は、ボリュームボタンが音量アップボタンか否かを判断し(ステップS10)、音量アップボタンである場合(ステップS10でYES)、１ステップ当たり予め定められた音量レベル(例えば、２dB)を上げて処理を終了し(ステップS11)、音量アップボタンでない場合(ステップS10でNO)は、音量ダウンボタンが押されたものと判断し、１ステップ当たり予め定められた音量レベル(例えば、2dB)を下げて処理を終了し(ステップS12)する。
【００２７】
ボリュームボタンの操作があり、ボリュームボタンが予め定めた時間(例えば、５００ms)以上押し続けられている場合(ステップS3でYES)、制御部８は、ボリュームボタンが音量アップボタンか否かを判断し(ステップS4)、音量ダウンボタンが押されている場合(ステップS4でNO)、１ステップ当たり予め定められた音量レベルを下げて処理を終了する(ステップS13)。
【００２８】
ボリュームボタンの操作があり、ボリュームボタンが予め定めた時間以上押し続けられ、当該ボリュームボタンが音量アップボタンの場合(ステップS4でYES)、制御部８は、不揮発性メモリ７のテーブルから入力信号レベルと可聴レベルに基づいて対応するレベル差(A)を読み出し、電子ボリューム５からボリューム情報(B)を取得する(ステップS5)。
【００２９】
そして、制御部８は、ボリューム情報における現在のボリュームレベルとレベル差情報レベル差とから音量レベルアップ量(C)を算出する(ステップS6)。制御部８は、当該音量レベルアップ量(C)が０より大きいか否かを判別し、音量レベルをアップする必要があるか否かを判断する(ステップS7)。
【００３０】
当該音量レベルアップ量(C)が０以下の場合(ステップS7でNO)、制御部８は、音量レベルをアップする必要がないものと判断し、予め定めたステップ分の音量を上げて処理を終了する(ステップS13)。当該音量レベルアップ量(C)が０より大きい場合(ステップS7でYES)、制御部８は、音量レベルをアップする必要があると判断し、予め設定されている操作時間(D)と電子ボリューム５のステップ単位時間(E)とからステップ数(X)と変化量(Y)を算出する(ステップS8)。そして、算出されたステップ数(X)で変化量(Y)毎に音量レベルを上げる(ステップS9)。
【００３１】
以上のように、入力信号レベルに応じて可聴レベルまで段階的に音量を増加させることができる。また、入力信号レベルの大小に関わらず、入力信号の信号レベルを可聴レベルに達するまでの時間を一定にすることができる。
【図面の簡単な説明】
【００３２】
【図１】本発明のオーディオ信号出力装置の一実施形態の概略構成を示す図。
【図２】本実施形態のオーディオ信号出力装置の不揮発性メモリに記憶されているテーブルの一例を示す図。
【図３】本実施形態のオーディオ信号出力の動作を説明するフローチャート。
【符号の説明】
【００３３】
１・・・リモコン、２・・・受信部、３・・・入力部、４・・・サンプリング部、５・・・AD変換部、６・・・記憶部、７・・・電子ボリューム、８・・・増幅部、９・・・不揮発性メモリ、１０・・・変化量決定部、１１・・・制御部。
【図１】
2008092241.tif 000003
【図２】
2008092241.tif 000004
【図３】
2008092241.tif 000005